(57)【要約】【課題】  片面のみに画像が形成されたシートの画像を２つの画像読取部を利用して読み取ることのできる画像読取装置を提供する。【解決手段】  シート搬送手段２０３によりシート載置手段１０２から１枚ずつ搬送されたシートを搬送するためのシート搬送通路２０８の両側に、シートの画像を読み取る第１及び第２の画像読取部２０２，２１９をそれぞれ設ける。そして、第１のシートと、第１のシートの次に搬送される第２のシートとを画像形成面がそれぞれ外側となる向きとなるように重ねた状態で搬送し、第１及び第２のシートの画像を第１及び第２の画像読取部２０２，２１９により読み取るようにする。【選択図】      図１
2006191198.tif 000002
【特許請求の範囲】
【請求項１】
シートの画像を読み取る画像読取装置において、
シート載置手段から前記シートを１枚ずつ搬送するシート搬送手段と、
前記シート搬送手段により搬送されたシートを搬送するためのシート搬送通路と、
前記シート搬送通路の両側にそれぞれ設けられ、前記シートの画像を読み取る第１及び第２の画像読取部と、
を備え、
第１のシートと、前記第１のシートの次に搬送される第２のシートとを画像形成面がそれぞれ外側となる向きとなるように重ねた状態で搬送し、前記第１及び第２のシートの画像を前記第１及び第２の画像読取部により読み取るようにしたことを特徴とする画像読取装置。
【請求項２】
前記シート搬送通路から分岐して設けられ、画像が読み取られる前の前記第１のシートを待避させる待避通路と、
前記待避通路に待機している第１のシートを、前記シート搬送手段により搬送される前記第２のシートと重ね合わせる重ね合わせ手段と、
を備えたことを特徴とする請求項１記載の画像読取装置。
【請求項３】
前記重ね合わせ手段は、前記第２のシートの先端を検知するセンサと、前記待避通路に待機している第１のシートを前記シート搬送通路に搬送する重ね合わせ搬送手段と、前記センサからの信号に基づき前記第１のシートと前記第２のシートとが重なるタイミングで前記重ね合わせ搬送手段を駆動する制御手段とを備えたものであることを特徴とする請求項２記載の画像読取装置。
【請求項４】
前記重ね合わせ搬送手段は、正回転により前記シート搬送手段によって搬送される前記第１のシートを前記待避通路に導くと共に、逆回転により前記待避通路に待機している第１のシートを前記シート搬送通路に搬送する正逆転可能なローラであることを特徴とする請求項３記載の画像読取装置。
【請求項５】
前記第１及び第２のシートを重ねた状態で前記第１及び第２の画像読取部に搬送するシート搬送装置を備え、前記制御手段を画像読取装置本体又は前記シート搬送装置に設けたことを特徴とする請求項１乃至４のいずれか１項に記載の画像読取装置。
【発明の詳細な説明】
【技術分野】
【０００１】
本発明は、画像読取装置に関し、特に２つの画像読取部を備え、２つの画像読取部によりシートの両面に形成された画像を１回の搬送動作によって読み取るようにしたものに関する。
【背景技術】
【０００２】
従来、ファクシミリやスキャナ等の画像読取装置においては、例えばシートである原稿を搬送しながら原稿画像を読み込む、所謂流し読み方式により原稿画像を読み取るようにしたものがあり、このような画像読取装置の場合、シート搬送装置の一例としての自動原稿給送装置（ＡＤＦ）により、原稿積載トレイに載置された原稿を画像読取部（の読取位置）に搬送した後、画像が読み取られた原稿を排紙トレイに排出するようにしている。
【０００３】
ここで、このような画像読取装置においては、自動原稿給送装置に例えば、原稿の裏面を読み取る画像読取部を備え、表裏両面に画像が形成された原稿を読み取る場合は、原稿を画像読取装置本体側に設けられた画像読取部と、自動原稿給送装置側に設けられた画像読取部とによって読み取ることにより、原稿の表裏両面の原稿情報を１回の搬送動作にて同時に読み込んだ後、排紙トレイに排出し積載するようにしたものがある（例えば、特許文献１参照。）。
【０００４】
【特許文献１】特開平１０−０８１４４９号公報
【発明の開示】
【発明が解決しようとする課題】
【０００５】
ところで、このような特許文献１に記載の従来の画像読取装置において、片面にのみ画像が形成された原稿を読み取る場合、画像読取装置本体側、或は自動原稿給送装置側の、どちらか一方の画像読取部で画像を読み取るようにしている。つまり、片面にのみ画像が形成された原稿を読み取る場合、使用できるのは一方の画像読取部のみであり、２つの画像読取部を有効に使用することができない。
【０００６】
そこで、本発明は、このような現状に鑑みて為されたものであり、片面のみに画像が形成された原稿（シート）の画像を２つの画像読取部を利用して読み取ることのできる画像読取装置を提供することを目的とするものである。
【課題を解決するための手段】
【０００７】
本発明は、シートの画像を読み取る画像読取装置において、シート載置手段から前記シートを１枚ずつ搬送するシート搬送手段と、前記シート搬送手段により搬送されたシートを搬送するためのシート搬送通路と、前記シート搬送通路の両側にそれぞれ設けられ、前記シートの画像を読み取る第１及び第２の画像読取部と、を備え、第１のシートと、前記第１のシートの次に搬送される第２のシートとを画像形成面がそれぞれ外側となる向きとなるように重ねた状態で搬送し、前記第１及び第２のシートの画像を前記第１及び第２の画像読取部により読み取るようにしたことを特徴とするものである。
【０００８】
また本発明は、前記シート搬送通路から分岐して設けられ、画像が読み取られる前の前記第１のシートを待避させる待避通路と、前記待避通路に待機している第１のシートを、前記シート搬送手段により搬送される前記第２のシートと重ね合わせる重ね合わせ手段と、を備えたことを特徴とするものである。
【０００９】
また本発明は、前記重ね合わせ手段は、前記第２のシートの先端を検知するセンサと、前記待避通路に待機している第１のシートを前記シート搬送通路に搬送する重ね合わせ搬送手段と、前記センサからの信号に基づき前記第１のシートと前記第２のシートとが重なるタイミングで前記重ね合わせ搬送手段を駆動する制御手段とを備えたことを特徴とするものである。
【発明の効果】
【００１０】
本発明のように、第１のシートと、第１のシートの次に搬送される第２のシートとを、画像形成面がそれぞれ外側となる向きとなるように重ねた状態で搬送することにより、片面のみに画像が形成された第１及び第２のシートの画像を第１及び第２の画像読取部により読み取ることができる。これにより、２つの画像読取部を有効に使用することができ、片面のみに画像が形成されたシートの画像を読み取る際の、効率を高めることができる。
【発明を実施するための最良の形態】
【００１１】
以下、本発明を実施するための最良の形態について図面を用いて詳細に説明する。
【００１２】
図１は、本発明の実施の形態に係る画像読取装置の概略構成を示す図、図２は、その斜視図、図３は画像読取装置の要部拡大図である。なお、この画像読取装置は、複写機、ファクシミリ等の画像形成装置の本体に装備することができる。
【００１３】
図１〜図３において、２０１は画像読取装置、１０１は画像読取装置２０１の上部に設けられたシート搬送装置の一例としての自動原稿給送装置（ＡＤＦ）である。
【００１４】
ここで、この画像読取装置２０１は、不図示の画像読み取りセンサを有する画像読取部の一例としてのリーダ部２０２を備えており、自動原稿給送装置１０１によって送られた原稿が画像読取位置２３１に到達すると、このリーダ部２０２により原稿上の画像を読み取るようにしている。なお、リーダ部２０２で読み取られた画像情報は、不図示の画像処理部で処理された後、例えば、画像読取装置２０１が不図示の画像形成装置に装備されている場合には、画像形成装置の画像形成部に送られ、画像形成部では、この処理された画像情報に基づき被記録媒体に画像を形成するようにしている。
【００１５】
また、図１及び図２において、１０２は原稿束を載置するシート載置手段の一例としての原稿積載トレイであり、１１０は原稿積載トレイ１０２に画像形成面を下にしてセットされた原稿を検出すると共に最終原稿を検出する原稿セットセンサである。１０３〜１０５は原稿積載トレイ１０２に設けられた第１〜第３トレイセンサであり、この第１〜第３トレイセンサ１０３〜１０５により、原稿積載トレイ１０２に積載された原稿の副走査方向（搬送方向）の大まかな原稿長さを検出可能としている。
【００１６】
また１０６は、原稿積載トレイ１０２上に設けられたサイド規制板であり、このサイド規制板１０６にはサイド整合板１０６の位置を検出する、後述する図６に示す幅検知センサ４１４が接続されており、主走査方向（搬送方向と直交する幅方向）の原稿長さ（原稿幅）を検出可能としている。そして、この幅検知センサ４１４と、第１〜第３トレイセンサ１０３〜１０５とによって原稿サイズを判別することが可能となっている。
【００１７】
２０４は分離ローラ、２０３はシート搬送手段の一例としてのピックアップローラであり、原稿給送時、後述する図６に示す分離モータ４０４を正回転させると分離ローラ２０４が給紙方向へ回転すると共に、分離ローラ２０４に連動してピックアップローラ２０３が、給紙方向へ回転しながら下降することによって原稿の最上紙を搬送するようになっている。
【００１８】
なお、このピックアップローラ２０３により搬送された原稿の最上紙は分離ローラ２０４によって搬送されるが、後続紙は分離ローラ２０４に圧接される不図示の分離パッドの抑止力により搬送を停止されるようになっており、これにより重送を防ぐことができるようになっている。
【００１９】
２０５は分離ローラ２０４によって搬送される原稿を検出すると共に分岐路２０６に設けられたレジストセンサ、２０７はレジストローラであり、搬送された原稿は一度レジストローラ２０７につき当てられて所定のループを形成し、停止することで斜行補正が行われる。そして、原稿の斜行補正が行われた後、後述する図６に示す給紙モータ４０７を回転させることによって、レジストローラ２０７が搬送方向に回転し、原稿の搬送が再開される。
【００２０】
なお、このようにレジストローラ２０７による原稿の搬送が再開されると（或はそれまでに）、分離モータ４０４が停止し、これによりピックアップローラ２０３は回転を停止する。さらに、この後、分離モータ４０４を搬送方向とは逆の方向に逆回転させることにより、ピックアップローラ２０３は待避位置へ移動する。
【００２１】
ここで、分離モータ４０４の回転が停止したとき分離ローラ２０４に対する回転駆動は出来なくなるが、分離ローラ２０４は、不図示のワンウェイ機構により搬送方向への回転は可能となっており、これにより給紙モータ４０７の回転によりレジストローラ２０７が回転すれば、分離ローラ２０４は原稿に連れ回りするようになり、原稿搬送に対して支障をきたさないようになっている。
【００２２】
２１１は搬送通路（シート搬送通路）２０８に設けられ、レジストローラ２０７により搬送された原稿の先端を検知するリードセンサであり、このリードセンサ２１１により原稿の先端を検知した後、原稿が原稿読取位置２３１に到達する前に原稿の搬送を一旦停止するようにしている。
【００２３】
２０９、２１０は後述する図６に示すリードモータ４０６により回転するリードローラ、２１２はリードモータ４０６により回転し、原稿読取位置２３１を通過した原稿を排出または反転させる接離可能な排紙ローラ対である。そして、給紙モータ４０７及びリードモータ４０６を回転させることにより、レジストローラ２０７、リードローラ２０９，２１０、及び排紙ローラ対２１２が回転し、これにより原稿は原稿読取位置２３１を通過し、この際、画像読取装置２０１（のリーダ部２０２）、及び後述する自動原稿給送装置側の画像読取部２１９により画像が読み取られ、この後、排紙通路２２０を経て排出される。
【００２４】
なお、１０８は読み取りが終了した後、排出される原稿を積載する排紙部の一例としての排紙トレイ、１０７は外装カバーであり、原稿のジャム等が発生した場合には、この外装カバー１０７を反時計周りに開けてジャム原稿を除去するようにしている。
【００２５】
２１９は、自動原稿給送装置側に設けられた画像読取部であり、この画像読取部２１９で読み取られた情報は、不図示の画像処理部で処理された後、画像形成装置の画像形成部に送られ、画像形成部では、この処理された画像情報に基づき被記録媒体に画像を形成するようにしている。
【００２６】
また、２３５は搬送通路２０８から分岐した待避通路、２３３は搬送通路２０８と待避通路２３５との分岐点に設けられた第１パス切り替えフラッパであり、この第１パス切り替えフラッパ２３３を後述する図６に示す待避ソレノイド４１６によって破線に示す位置に待避させることにより、原稿は待避通路２３５へと導かれるようになっている。
【００２７】
２３２は待避通路２３５に設けられた待避ローラであり、この待避ローラ２３２は後述する図６に示す正逆転可能な待避モータ４１５の正回転により、第１パス切り替えフラッパ２３３の切り替えによって待避通路２３５へと導かれた原稿を搬送し、待避トレイ２３０上に待避させるようにしている。なお、第１パス切り替えフラッパ２３３は、例えば奇数枚目の原稿の画像を読み取るときに切り替えられるようになっている。つまり、本実施の形態においては、奇数枚目の原稿を読み取る際、一旦原稿を待避トレイ２３０上（原稿が第２パス切り替えフラッパ２３４を抜け、待避ローラ２３２を抜けきらない位置）に待避させるようにしている。
【００２８】
また、２３４は第２パス切り替えフラッパであり、この第２パス切り替えフラッパ２３４は、不図示のバネによって上側に押圧されている。そして、レジストローラ２０７側から待避ローラ２３２側へ搬送される際、原稿は、この第２パス切り替えフラッパ２３４を下方に押し下げながら搬送されるようになっている。
【００２９】
なお、後述するように待避モータ４１５の逆転により待避ローラ２３２が逆転すると、待避トレイ２３０に待避していた原稿は、この第２パス切り替えフラッパ２３４により待避通路側から待避給紙路２３６へとガイドされ、待避給紙路２３６を通って再び搬送通路２０８（リードローラ２０９側）へと搬送されるようになっている。
【００３０】
ここで、この待避ローラ２３２の逆転は、第１の原稿である奇数枚目の原稿が待避トレイ２３０に待避した後、次の第２の原稿である偶数枚目の原稿が搬送される際、この偶数枚目の原稿の先端と、奇数枚目の原稿の先端とが一致するタイミングで行われるようになっている。
【００３１】
これにより、１枚目の原稿と２枚目の原稿が画像形成面をそれぞれ外側にした状態で搬送されるようになる。なお、本実施の形態においては、２枚の原稿の先端が一致するタイミングで待避ローラ２３２を逆転させているが、これは読み取りに要する時間を短縮するためであり、２枚の原稿を同時に搬送することができれば、必ずしも２枚の原稿の先端を一致させる必要はない。
【００３２】
なお、２３７は待避通路２３５内に配置された待避センサであり、この待避センサ２３７により待避ローラ２３２によって搬送される原稿を検出するようにしている。
【００３３】
次に、このように構成された自動原稿給送装置１０１における、片面原稿の画像読み込時における原稿の流れを図４及び図５を用いて説明する。
【００３４】
まず、不図示のＤＦカバーオープンセンサによってＤＦカバー１０７が閉じていることを確認すると共に、原稿セットセンサ１１０によって原稿積載トレイ１０２上に原稿Ｇがセットされたか否かを検知し、図４の（ａ）に示すように原稿Ｇがセットされ、これを原稿セットセンサ１１０が検出した場合は、画像読取装置２０１に対して自動原稿給送装置１０１が給紙動作可能であることを示す「ＲＥＡＤＹ信号」を送信する。
【００３５】
次に、画像読取装置２０１から原稿Ｇの給紙動作開始を示す「原稿給紙信号」の受信を待ち、「原稿給紙信号」を受信すると、分離モータ４０４（図６参照）を回転させて分離ローラ２０４の給紙方向への回転を開始させると共に、ピックアップローラ２０３を給紙方向に回転させながら、図４の（ｂ）に示すように待避位置から原稿束上圧接位置へ移動させ、原稿Ｇの分離搬送動作を開始する。
【００３６】
次に、このような分離搬送動作開始後、レジストセンサ２０５がＯＮ（原稿前端検出）となるのを待ち、図４の（ｃ）に示すように、レジストセンサ２０５が原稿Ｇを検知してＯＮとなると、所定量搬送後に分離モータ４０４を停止させ、分離ローラ２０４の回転を停止させる。
【００３７】
なお、この原稿検出後の所定の搬送量は、「レジストセンサ２０５の原稿検出位置〜レジストローラ２０７の位置」までの距離よりも大きくしており、これによって原稿先端にループを形成し、斜行取りを行うことができる。
【００３８】
次に、分離モータ４０４を逆転させることによってピックアップローラ２０３を原稿束上圧接位置から待機位置へ上昇させ、この後、給紙モータ４０７（図６参照）を正回転させ、レジストローラ２０７を給紙方向へ回転させる。なお、分離モータ４０４を逆転することによって分離ローラ２０４は原稿Ｇを搬送する駆動力を失うが、不図示のワンウェイ機構により、レジストローラ２０７による原稿搬送に対しては支障をきたさないようになっている。
【００３９】
次に、原稿は１枚目（奇数枚目）であるので待避ソレノイド４１６を作動させて第１パス切り替えフラッパ２３３（図３参照）を切り替え（図３の破線図側）、原稿を待避通路側に切り替えると共に、待避モータ４１５（図６参照）を正回転させて待避ローラ２３２を待避トレイ方向へと回転させることにより、１枚目の原稿を待避トレイ２３０へ搬送する。
【００４０】
次に、レジストセンサ２０５にて原稿後端の検出を待ち、検出したら原稿待避位置までの所定量を搬送し、この後待避ローラ２３２を停止させ、図４の（ｄ）に示すように、原稿Ｇを一旦停止させる。なお、この原稿待避位置は原稿後端が第２パス切り替えフラッパ２３４の切り替え位置を通過した位置である。
【００４１】
次に、このように１枚目の原稿Ｇの待避が完了した後、原稿積載トレイ上の２枚目（偶数枚目）の原稿の給紙を行う。この場合、既に待避トレイ２３０に１枚目の原稿Ｇが待避しているため、待避ソレノイド４１６を駆動させることなく、リードモータ４０６（図６参照）及び給紙モータ４０７を正回転させてリードローラ２０９，２１０およびレジストローラ２０７を給紙方向へ回転させ、図５の（ａ）に示すように、２枚目の原稿Ｇ１を搬送する。
【００４２】
次に、この２枚目の原稿Ｇ１の先端と、待避トレイ２３０に待避している１枚目の原稿Ｇの先端とが一致するように同期（タイミング）を取って待避モータ４１５を逆転することにより、重ね合わせ搬送手段の一例としての待避ローラ２３２を逆転させ、待避トレイ上の１枚目の原稿Ｇを待避給紙路２３６を通ってリードローラ２０９へと搬送する。そして、１枚目の原稿Ｇの先端と２枚目の原稿Ｇ１を画像形成面がそれぞれ外側となるように、かつ先端とを合わせた状態で２枚の原稿Ｇ，Ｇ１を同時に搬送する。
【００４３】
次に、リードセンサ２１１がＯＮ（原稿先端検出）になるのを待ち、図５の（ｂ）に示すように、リードセンサ２１１が原稿Ｇ、Ｇ１の先端を検出してＯＮとなると、原稿Ｇ，Ｇ１を所定量だけ搬送した後、給紙モータ４０７、待避モータ４１５およびリードモータ４０６を停止し、レジストローラ２０７、待避ローラ２３２およびリードローラ２０９，２１０を停止させ、原稿Ｇ，Ｇ１を画像読取位置２３１の手前（先出し位置）で一時停止する。また、このように原稿Ｇ，Ｇ１を画像読取位置２３１の手前で一時停止させた後、画像読取装置２０１に対して「給紙完了信号」を送信する。
【００４４】
次に、自動原稿給送装置１０１は、この後、「給紙完了信号」を受信した画像読取装置２０１が画像読み込み可能になった場合に送信する「原稿搬送信号」の受信を待ち、「原稿搬送信号」を受信すると、リードモータ４０６、給紙モータ４０７、待避モータ４１５を同時に回転させ、レジストローラ２０７、リードローラ２０９，２１０、排紙ローラ対２１２、待避ローラ２３２を回転させる。
【００４５】
そして、この後、原稿Ｇの先端が画像読取位置２３１に到達したら、画像読取装置２０１に対して１枚目の原稿Ｇの画像読み取り開始を促す「画像読取開始信号１」と、２枚目の原稿Ｇ１の画像読み取り開始を促す「画像読取開始信号２」を送信する。なお、画像読取装置２０１は、この「画像読取開始信号１」に応じて、第１の画像読取部であるリーダ部２０２により１枚目の原稿Ｇの画像の読み取りを行う。また、この後、「画像読取開始信号２」に応じて、第２の画像読取部である自動原稿給送装置側の画像読取部２１９により２枚目の原稿Ｇ２の画像の読み取りを行う。
【００４６】
次に、排紙センサ２１５が原稿先端を検知し、さらに図５の（ｃ）に示すように、レジストセンサ２０５が原稿後端を検出するのを待ち、レジストセンサ２０５が原稿後端を検出した際に、原稿セットセンサ１１０によって最終原稿か否かを確定する。ここで、原稿セットセンサ１１０が“原稿有り”を検知した場合は、画像読取装置２０１に対して「非最終原稿信号」を送信し、“原稿無し”を検知した場合は「最終原稿信号」を送信する。同時に原稿後端がレジストローラ２０７を抜けると給紙モータ４０７を停止させ、レジストローラ２０７を停止させる。また、待避センサ２３７が原稿後端を検出した場合、待避ローラ２３２を停止させる。
【００４７】
次に、リードセンサ２１１が原稿Ｇ，Ｇ１の後端を検出するのを待ち、リードセンサ２１１が原稿Ｇ，Ｇ１の後端を検出してから原稿Ｇ，Ｇ１を所定量搬送し、原稿後端が画像読取位置２３１に到達したら１枚目の原稿Ｇの画像読み取り終了を促す「画像読取終了信号１」と、２枚目の原稿Ｇ１の画像読み取り終了を促す「画像読取終了信号２」を送信する。それに伴い各々の原稿後端が各々の画像読取位置を通過したら、各々画像読み取りを終了する。
【００４８】
次に、排紙センサ２１５が原稿後端を検出するのを待ち、図５の（ｄ）に示すように、排紙センサ２１５が原稿後端を検出し、原稿が排紙待機位置に達したことを検出すると、リードモータ４０６を停止させ、画像読取装置２０１からの原稿の排紙動作開始を示す「原稿排紙信号」の受信を待つ。この後、「原稿排紙信号」を受信したら、リードモータ４０６を再起動して原稿搬送を再開し、排紙センサ２１５にて原稿後端を検出してから所定量を搬送する。
【００４９】
なお、この原稿後端検出後の搬送量は「排紙センサ２１５〜排紙ローラ対２１２」よりも大きくしており、これにより原稿Ｇ，Ｇ１を確実に排紙トレイ１０８に排紙積載することができる。また、排紙トレイ１０８に積載後、リードモータ４０６を停止させ、一連の動作を終了する。
【００５０】
なお、図６はこのような自動原稿給送装置１０１の制御ブロック図であり、同図において、４０１はＣＰＵ（中央演算処理装置）である。ＣＰＵ４０１にはＲＯＭ（読み出し専用メモリ）４０２、ＲＡＭ（ランダムアクセスメモリ）４０３が接続されている。
【００５１】
なお、このＲＯＭ４０２には、後述する図７に示す制御手順に対応する制御プログラムが格納されており、ＲＡＭ４０３には入力データや作業用データが記憶されている。また、ＣＰＵ４０１の出力ポートには既述した分離モータ４０４、給紙モータ４０７、リードモータ４０６、待避モータ４１５、待避ソレノイド４１６が接続されている。さらに、ＣＰＵ４０１の入力ポートには、原稿セットセンサ１１０、レジストセンサ２０５、排紙センサ２１５、待避センサ２３７、リードセンサ２１１、第１〜第３トレイセンサ１０３〜１０５、幅検知センサ４１４が接続されている。
【００５２】
また、リーダ部２０２の画像読取動作を制御する制御手段の一例としてのＣＰＵ４０１は通信部４１０を備えており、画像読取装置２０１のＣＰＵ４１９とシリアル通信を行い、画像読取装置２０１との間で、既述した「原稿搬送信号」、「画像読取開始信号１，２」、「画像読取終了信号１，２」、「給紙完了信号」、「原稿排紙信号」等の制御データの授受を行っている。そして、このようなＣＰＵ４０１は、各センサからの信号に基づいてＲＯＭ４０２に格納された制御プログラムを実行し、各部の制御を行うようになっている。
【００５３】
図７は、本実施の形態の制御の流れを示すフローチャートである。本処理は、ＲＯＭ４０２に格納されているプログラムの一部分を示し、ＣＰＵ４０１で実行される。
【００５４】
先ず、画像読取装置２０１からの原稿を先だし位置へ給紙する給紙動作を要求する原稿給紙要求（原稿給紙信号）が確認されると（Ｓ５０１のＹ）、ＣＰＵ４０１は原稿給紙動作を開始する（Ｓ５０２）。
【００５５】
次に、待避センサ２３７からの信号により待避トレイ２３０に第１原稿（奇数枚目の原稿）が搬送され、待避されているか否か確認し、即ち原稿待避制御必要か否かを確認し（Ｓ５０３）、待避していない場合（原稿待避制御要）には、待避ソレノイド４１６を作動させて第１パス切り替えフラッパ２３３を図３の破線で図示した位置に切り替えると共に、待避モータ４１５を正回転させて待避ローラ２３２を待避トレイ方向へと回転させる原稿待避制御を行い（Ｓ５０３のＹ）、待避トレイ２３０へ原稿を待避搬送する（Ｓ５０４）。
【００５６】
この後、待避トレイ２３０へ原稿搬送が終了（原稿が待避ローラ２３２を抜けきらない位置）すると（Ｓ５０５のＹ）、原稿給紙要求に応じて原稿積載トレイ１０２に載置されている第２原稿（偶数枚目の原稿）の給紙動作を開始する。そして、第２原稿の先端を、第２原稿の先端を検知するセンサの一例としてのリードセンサ２１１が検知すると、第２原稿の先端と待避トレイ２３０に待避している第１原稿の先端（スイッチバックする際の先端）とが一致するように同期を取って待避モータ４１５を逆転して待避ローラ２３２を逆転させ、第１原稿と、第２原稿の２枚の原稿を重ね合わせし（Ｓ５０６）、２枚の原稿を同時に先出し位置へ搬送する。
【００５７】
つまり、本実施の形態において、リードセンサ２１１、待避ローラ２３２及びＣＰＵ４０１により、画像形成面がそれぞれ外向きになるように第１原稿と第２原稿とを重ね合わせる重ね合わせ手段が構成される。
【００５８】
次に、原稿給紙動作が完了したか否かを確認し（Ｓ５０７）、完了した場合（Ｓ５０７のＹ）、原稿搬送を一旦停止する（Ｓ５０８）。次に、画像読取装置２０１からの、原稿を先出し位置から画像読み取り位置へ搬送する搬送動作を要求する原稿搬送要求（原稿搬送信号）を確認し（Ｓ５０９）、原稿搬送要求がある場合は（Ｓ５０９のＹ）、原稿搬送動作を再開する（Ｓ５１０）。
【００５９】
そして、この後、原稿が画像読取位置へ到達したか否かを確認し（Ｓ５１１）、原稿が画像読取位置へ到達した場合（Ｓ５１１のＹ）、画先信号（画像読取開始信号１，２）を出力する（Ｓ５１２）。これにより、画像読取装置２０１は、この「画像読取開始信号１」に応じてリーダ部２０２により第１原稿の画像の読み取りを行い、また、この後、「画像読取開始信号２」に応じて自動原稿給送装置側の画像読取部２１９により第２原稿の画像の読み取りを行う。
【００６０】
次に、画像読取位置２３１を原稿後端が通過した場合（Ｓ５１３のＹ）、画先信号の出力を停止し、即ち画像読取終了信号を出力し、これにより画像読取装置２０１は画像読み込みを終了する。また、同様に第２原稿の画像読取位置を第２原稿後端が通過すると画先信号の出力を停止し、これにより自動原稿給送装置側の画像読取部２１９は第２原稿の画像の読み込みを終了する。
【００６１】
次に、排紙センサ２１５が原稿後端を検出するのを待ち、原稿が排紙待機位置へ到達したか否か確認し（Ｓ５１４）、図５の（ｄ）に示すように、原稿が排紙待機位置へ到達した場合（Ｓ５１４のＹ）、一旦リードモータ４０６を停止し、原稿搬送を停止し（Ｓ５１５）、原稿排紙要求を受信したか否かを確認し（Ｓ５１６）、画像読取装置２０１からの原稿の排紙動作開始を示す「原稿排紙信号」の受信を待つ。その後、原稿排紙要求を受信した場合（Ｓ５１６のＹ）、リードモータ４０６を再起動して原稿の排紙を行う（Ｓ５１７）。なお、この後、原稿積載トレイに積載された全ての原稿の画像読み込みが終了して原稿を排紙トレイへ排出し、積載が完了したならばリードモータ４０６等を停止させる。
【００６２】
なお、本実施形態では上述のように、一旦、原稿搬送を停止し（Ｓ５１５）、原稿排紙要求を受信した後、原稿の排紙を行うようにしたが、一旦原稿を停止せずに、排紙センサ２１５にて原稿後端を検出してから引き続き所定量搬送し、原稿を排紙トレイへ排出するように制御しても良い。これにより、搬送通路２０８における自動原稿給送装置側の画像読取部２１９の配置位置を排紙センサ２１５の下流におくことができ、設計する上での自由度を向上することができる。
【００６３】
このように、第１原稿（第１のシート）と、第２原稿（第２のシート）を画像形成面がそれぞれ外側となる向きとなるように重ねた状態で搬送することにより、片面のみに画像が形成された第１及び第２原稿の画像を、リーダ部２０２及び自動原稿給送装置側の画像読取部２１９により読み取ることができる。これにより、片面のみに画像が形成された原稿の画像を読み取る際の、効率を高めることができる。
【００６４】
なお、これまでの説明においては、原稿画像の読取制御を自動原稿給送装置１０１に設けられたＣＰＵ４０１により行う場合について述べてきたが、本発明は、これに限らず、画像読取装置本体側のＣＰＵ４１９（図６参照）により行うようにしても良い。
【図面の簡単な説明】
【００６５】
【図１】本発明の実施の形態に係る画像読取装置の概略構成を示す図。
【図２】上記画像読取装置の斜視図。
【図３】上記画像読取装置の要部拡大図。
【図４】上記自動原稿給送装置における、両面原稿の画像読み込時における原稿の流れを示す第１の図。
【図５】上記自動原稿給送装置における、両面原稿の画像読み込時における原稿の流れを示す第２の図。
【図６】上記自動原稿給送装置の制御ブロック図。
【図７】上記自動原稿給送装置における制御の流れを示すフローチャート。
【符号の説明】
【００６６】
１０１      自動原稿給送装置（ＡＤＦ）
１０２      原稿積載トレイ
２０１      画像読取装置
２０２      リーダ部
２０３      ピックアップローラ
２０８      搬送通路
２１１      リードセンサ
２１９      自動原稿給送装置側の画像読取部
２３１      画像読取位置
２３２      待避ローラ
２３５      待避通路
２３６      待避給紙路
４０１      ＣＰＵ
４１９      ＣＰＵ
Ｇ          １枚目の原稿
Ｇ１        ２枚目の原稿
【図１】
2006191198.tif 000003
【図２】
2006191198.tif 000004
【図３】
2006191198.tif 000005
【図４】
2006191198.tif 000006
【図５】
2006191198.tif 000007
【図６】
2006191198.tif 000008
【図７】
2006191198.tif 000009